(57)【特許請求の範囲】
【請求項１】
固定ドラムと、この固定ドラムに固着された支持軸と、この支持軸に回転可能に軸支され、磁気ヘッドを有する回転ドラムと、この回転ドラムに対向状態で配設されて前記支持軸に固着された固定部材と、この固定部材に前記回転ドラムと対向する側から形成された収納部と、この収納部に収納されたアースブラシと、前記固定部材に前記収納部に続けて形成した前記アースブラシの形状より小さめの貫通孔とを備え、前記収納部に収納した前記アースブラシを、組立治具で抜け止めすると共に、検出ピンを前記貫通孔に挿入して前記アースブラシの有無を検出するようにしたことを特徴とした回転ヘッド装置の組立方法。
【請求項２】
前記貫通孔に挿入された前記検出ピンは、前記収納部内の前記アースブラシの有無によって移動可能となし、この検出ピンの移動によって、検出部材を動作させて、前記アースブラシの有無を検出するようにしたことを特徴とする請求項１記載の回転ヘッド装置の組立方法。
【発明の詳細な説明】
【０００１】
【発明の属する技術分野】
本発明は、磁気記録再生装置としてのビデオテープレコーダ等に使用される回転ヘッド装置の組立方法に関する。
【０００２】
【従来の技術】
図８は、従来の回転ヘッド装置の断面図、図９は従来の回転ヘッド装置の要部拡大断面図である。従来の磁気記録再生装置に使用される回転ヘッド装置は、図８、図９に示すように、下方に位置する固定ドラムＫと、この固定ドラムＫの上方に対向して配置された回転ドラムＲと、この回転ドラムＲの上方に配置されたモータＭとを有している。前記固定ドラムＫは、その中心孔Ｋａに円柱状で外部の磁気記録再生装置（図示せず）側にアースされた支持軸３１の一端側３１ａが固定されている。
また、支持軸３１を中心として回転可能な回転ドラムＲには、磁気ヘッド３２が取り付けられている。
【０００３】
回転ドラムＲの回転中心に取り付けられたボールベアリング３４は、内輪部３４ａと、外輪部３４ｂ、及び内輪部３４ａと外輪部３４ｂとの間に配置されたボール３４ｃとで構成されている。このような構成を有する２つのボールベアリング３４が、回転ドラムＲの中心孔３５の上下に、外輪部３４ｂを圧入して固定されている。これら２つのボールベアリング３４は、内輪部３４ａが支持軸３１に圧入されて取り付けられ、ボール３４ｃを介して外輪部３４ｂと回転ドラムＲとが回転するようになっている。
【０００４】
磁気ヘッド３２に対して、記録時にはビデオ信号を供給すると共に、再生時には再生信号を取り出す回転トランス３６は、固定側トランス３６ａと回転側トランス３６ｂとで構成されている。そして、これらの回転トランス３６はボールベアリング３４の下部に位置した状態で固定ドラムＫと回転ドラムＲとの間に配設され、固定側トランス３６ａは固定ドラムＫに取り付けられ、また、回転側トランス３６ｂは回転ドラムＲに取り付けられ、回転側トランス３６ｂは回転ドラムＲと共に回転するようになっている。
【０００５】
また、前記モータＭは、固定部材３７ａに支持されたステータ３７と、回転ドラムＲに取り付けたロータ３８とで構成されている。  そして、ステータ３７は、支持軸３１の他端側３１ｂに圧入等で取り付けられた固定部材３９と、この固定部材３９に取り付けられたモータ制御回路基板３７ｃと、このモータ制御回路基板３７ｃの回路パターン（図示せず）に電気的に導通する、コイル３７ｄを設けた磁性金属からなるコア３７ｅとで構成されている。
ここで、モータ制御回路基板３７ｃは、プリント基板にモータ制御回路が実装されたものであり、図示しない磁気記録再生装置本体から供給された電源をコイル３７ｄに供給し、回転ドラムＲの回転制御を行うものである。
【０００６】
前記固定部材３９には所定の深さの袋孔３９ａが設けられ、この袋孔３９ａには、コイルバネ４０と、このコイルバネ４０により弾圧されるアースブラシ４１とが収納されている。このアースブラシ４１は、ボールベアリング３４の外輪部３４ｂに弾接されている。
そして、アースブラシ４１はコイルバネ４０を介して固定部材３９に接地され、固定部材３９は支持軸３１にアースされ、この支持軸３１は磁気記録再生装置（図示せず）側に接地されている。
【０００７】
また、ロータ３８は、底板部３８ａと筒状部３８ｂとによってコップ状に形成された取付板３８ｃと、筒状部３８ｂに接着固定された円筒状の磁石３８ｅとで構成され、取付板３８ｃの底板部３８ａが回転ドラムＲに取り付けられている。そして、前記コア３７ｅは円筒状の磁石３８ｅ内に配設され、コア３７ｅと磁石３８ｅとは全周で同じクリアランスＳをもって対峙させている。
【０００８】
前述したような従来の回転ヘッド装置は、モータＭによって回転ドラムＲが回転するようになり、この回転ドラムＲの回転により磁気ヘッド３２も回転し、この磁気ヘッド３２に対して、所定の押圧力Ｐで押されて接触した状態で磁気テープＴが移動して、記録あるいは再生を行うようになっている。この際に回転ドラムＲと磁気テープＴとの摺動等により回転ドラムＲ側に静電気が帯電する。
この静電気がボールベアリング３４の外輪部３４ｂにも蓄積されるが、外輪部３４ｂと支持軸３１に接している内輪部３４ａとはボール３４ｃを介して接してはいるものの、ボール３４ｃには潤滑油が塗布されているために、電気的導通が妨げられて、外輪部３４ｂに帯電している静電気を、内輪部３４ａから支持軸３１に逃がすことが難しかった。
そこで、ボールベアリング３４の外輪部３４ｂに、アースブラシ４１をコイルバネ４０により弾接させて、回転ドラムＲに帯電した静電気を、固定部材３７ａから、支持軸３１に逃がすことができるようになっている。そして、前記支持軸３１は図示しない磁気記録再生装置側に電気的に導通されてアースされた状態になっている。
【０００９】
前述のような構成の従来の回転ヘッド装置の組立は、支持軸３１と固定側トランス３６ａを取り付けた固定ドラムＫを組立治具（図示せず）に載置する。
次に、回転側トランス３６ｂと、ボールベアリング３４を取り付けた回転ドラムＲの内輪部３４ａを支持軸３１に挿入し、固定側トランス３６ａと回転側トランス３６ｂとを対向させて取り付ける。
次に、袋孔３９ａにコイルバネ４０とアースブラシ４１とを収納した固定部材３９を、支持軸３１の他端側３１ｂから挿入し、固定部材３９をボールベアリング３４に当接させて、固定部材３９を支持軸３１にネジ止め等で取り付ける。
次に、回転ドラムＲにモータＭのロータ３８を取り付けると共に、コイル３７ｄを設けたコア３７ｅと電気的に導通させたモータ制御回路基板３７ｃを固定部材３９にネジ止めして従来の回転ヘッド装置が組立られている。
そして、モータ制御回路基板３７ｃに通電することにより、ロータ３８が回転すると共に、回転ドラムＲが回転するようになっている。
【００１０】
【発明が解決しようとする課題】
しかし従来の回転ヘッド装置においては、袋孔３９ａにコイルバネ４０とアースブラシとを収納した固定部材３９を、支持軸３１にネジ止め等で取り付けていたので、袋孔３９ａに収納しているアースブラシ４１が脱落することがあった。このようなアースブラシ４１が袋孔３９ａから脱落すると、前述したような回転ドラムＲに帯電した静電気を、支持軸３１側に逃がすことができず、磁気テープＴに適正な記録・再生を行うことができなくなる問題があった。本発明は、前記課題を解決して帯電した静電気を確実にグランドパターンに逃がすことができる回転ヘッド装置の組立方法を提供することを目的としたものである。
【００１１】
【課題を解決するための手段】
本発明の回転ヘッド装置の組立方法は、固定ドラムと、この固定ドラムに固着された支持軸と、この支持軸に回転可能に軸支され、磁気ヘッドを有する回転ドラムと、この回転ドラムに対向状態で配設されて前記支持軸に固着された固定部材と、この固定部材に前記回転ドラムと対向する側から形成された収納部と、この収納部に収納されたアースブラシと、前記固定部材に前記収納部に続けて形成した前記アースブラシの形状より小さめの貫通孔とを備え、前記収納部に収納した前記アースブラシを、組立治具で抜け止めすると共に、検出ピンを前記貫通孔に挿入して前記アースブラシの有無を検出するようにした構成とした。
【００１２】
前記貫通孔に挿入された前記検出ピンは、前記収納部内の前記アースブラシの有無によって移動可能となし、この検出ピンの移動によって、検出部材を動作させて、前記アースブラシの有無を検出する構成とした。
【００２１】
【発明の実施の形態】
以下に、本発明の回転ヘッド装置の組立方法の実施の形態について説明する。図１は本発明方法を適用する回転ヘッド装置の第１の実施の形態の断面図、図２は本発明方法を適用する回転ヘッド装置の第１の実施の形態の要部拡大断面図、図３は本発明方法を適用する回転ヘッド装置の第１の実施の形態の変形例を示す断面図、図４は本発明方法を適用する回転ヘッド装置の第２の実施の形態の変形例を示す断面図、図５から図７は本発明の回転ヘッド装置の組立方法を説明する図である。
【００２２】
本発明方法を適用する回転ヘッド装置の第１の実施の形態は、図１、図２に示すように、下方に位置する固定ドラムＫと、この固定ドラムＫの上方に配置された回転ドラムＲと、この回転ドラムＲの上方に配置されたモータＭとから成っている。前記固定ドラムＫは、その中心部の軸孔Ｋａに円柱状で縦長の導電性の材料からなる支持軸１の一端側１ａが圧入等で固着されている、そして、支持軸１は図示しない磁気記録再生装置本体に本発明の回転ヘッド装置を取り付けるときに、一端側１ａ、または他端側１ｂが磁気記録再生装置側にアースされるようになっている。また、支持軸１を中心として回転可能な回転ドラムＲには、磁気ヘッド２がネジ３によって取り付けられている。
【００２３】
前記回転ドラムＲには、この回転ドラムＲの一部を構成する導電性の材料からなる外輪部４ｂと、支持軸１に軸止された内輪部４ａとから成るボールベアリング４を有し、このボールベアリング４は内輪部４ａと外輪部４ｂとの間に配置されたボール４ｃとで構成されている。このような構成の２つのボールベアリング４が、回転ドラムＲの中心孔５の上下に、外輪部４ｂが圧入等で固定されている。  これら２つのボールベアリング４は、内輪部４ａが支持軸１に挿入されて軸支され、ボール４ｃを介して外輪部４ｂと回転ドラムＲとが回転するようになっている。前記外輪部４ｂは硬質の鋼材から成り、その側面は鏡面仕上げされている。
【００２４】
また、磁気ヘッド２に対して、記録時にはビデオ信号を供給すると共に、再生時には再生信号を取り出す回転トランス６は、固定側トランス６ａと回転側トランス６ｂとで構成されている。そして、これらの回転トランス６はボールベアリング４の下部に位置した状態で固定ドラムＫと回転ドラムＲとの間に配設され、固定側トランス６ａは固定ドラムＫに取り付けられ、また、回転側トランス６ｂは回転ドラムＲに取り付けられ、回転側トランス６ｂは回転ドラムＲと共に回転するようになっている。
【００２５】
また、回転ドラムＲの上部に取り付けられている前記モータＭは、ステータ７と回転ドラムＲに取り付けたロータ８とで構成されている。前記ステータ７は、支持軸１に止めネジ９ｄ等で固着された導電性の材料から成る固定部材９と、この固定部材９の外周部に固着されたコイル７ｄを設けた磁性金属からなるコア７ｅと、固定部材９にネジ７ｂによって取り付けられモータ制御回路基板７ｃとから構成されている。前記モータ制御回路基板７ｃは、プリント基板にモータ制御回路が実装されたものであり、図示しない記録再生装置本体から供給された電源をコイル７ｄに供給し、ロータ８の回転を制御することで、回転ドラムＲの回転制御を行うものである。
【００２６】
また、ロータ８は、底板部８ａと筒状部８ｂとによってコップ状に形成された取付板８ｃと、この底板部８ａを回転ドラムＲに取り付けるネジ８ｄと、筒状部８ｂに接着固定された円筒状の磁石８ｅとで構成されている。そして、前記コア７ｅは円筒状の磁石８ｅ内に配設され、コア７ｅと磁石８ｅとは磁気ギャップを形成するように対峙させている。
また、固定部材９には回転ドラムＲと対向する側から、所定の深さの収納部９ａが形成されている。この収納部９ａは、ボールベアリング４の外輪部４ｂと対向する位置に、例えば袋穴状に設けられ、この収納部９ａには、導電性の良い付勢部材であるコイルバネ１０と、摺動性のよい黄銅等からなる円柱状のアースブラシ１１とが収納されている。
【００２７】
このようにして、収納部９ａに収納されたアースブラシ１１は、その背面を付勢部材であるコイルバネ１０でボールベアリング４の外輪部４ｂ側に押圧されて、アースブラシ１１の先端が回転ドラムＲの一部である外輪部４ｂの側面に弾接するようになっている。
そして、収納部９ａに収納されたアースブラシの背面側の固定部材９には、アースブラシ１１の形状より小さめの貫通穴９ｂが形成されている。
ここで、この貫通穴９ｂは少なくとも収納部９ａに連通する穴部分の大きさが、コイルバネ１０とアースブラシ１１の外形より小さく形成されており、即ち、収納部９ａに収納されている前述の部材の内部保持を妨げない大きさになっている。  また、図１、２の実施の形態においては、貫通穴９ｂを収納部９ａの底部の縦方向に設け、支持軸１への固定部材９の取付方向と一致させているが、アースブラシ１１の側面側に固定部材９の外周側面に通ずるような横方向に貫通孔（図示せず）を設けてもよい。
前記支持軸１に固着された固定部材９には、支持軸１の周辺の回転ドラムＲと対向する側に凸部９ｃが形成され、この凸部９ｃにより回転ドラムＲの一部であるボールベアリング４の外輪部４ｂと固定部材９との間に所定の隙間９ｅが形成されている。
【００２８】
前述したような本発明の回転ヘッド装置は、モータＭによって回転ドラムＲが回転するようになり、この回転ドラムＲの回転により磁気ヘッド２も回転する。この磁気ヘッド２に対して、所定の押圧力Ｐで押されて接触した状態で磁気テープＴが移動して、記録あるいは再生を行うようになっている。この際に回転ドラムＲと磁気テープＴとの摺動等により回転ドラムＲ側に静電気が発生し、その静電気がボールベアリング４の外輪部４ｂにも帯電される。
この外輪部４ｂに帯電している静電気を支持軸１に逃がして除電するための、本発明の回転ヘッド装置のアース経路は、ボールベアリング４の外輪部４ｂに弾接したアースブラシ１１から、コイルバネ１０を経由して固定部材９に逃し、固定部材９から支持軸１にアースされて、静電気が除電されるようになっている。
【００２９】
前述のような構成の本発明の回転ヘッド装置の組立方法を図５〜図７を用いて説明する。まず、図５に示すように、事前に支持軸１の一端側１ａが圧入等で軸孔Ｋａに固着され、内面に固定側トランス６ａが取り付けられた固定ドラムＫを、組立治具Ｊの載置台Ｊ１に載置する。
次に、回転側トランス６ｂと、ボールベアリング４とが取り付けられた回転ドラムＲを、固定ドラムＫに取り付けられた支持軸１の他端側１ｂから挿入して、回転ドラムＲを固定ドラムＫ上に対向させて載置する。
【００３０】
次に、図６に示すように、収納部９ａにコイルバネ９ｂと、次にアースブラシ１１を収納し、この固定部材９を組立治具Ｊの取付部材Ｊ２に挿着し、板バネ等から成る抜け止め部材Ｊ３で、前記収納部９ａに収納されているアースブラシ１１を抜け止めすると共に、アースブラシ１１の有無によって上下方向に移動可能な検出ピンＪ４を貫通孔９ｂに挿入する。
この検出ピンＪ４は、収納部９ａ内のアースブラシ１１の有無によって移動可能となし、この検出ピンＪ４の移動によって、検出ピンＪ４の上方に取り付けられている押しボタンスイッチ等から成る検出部材Ｓを動作させて、アースブラシ１１の有無を検出できるようになっている。
そして、挿入部９ａに収納されているアースブラシ１１を検出部材Ｓが検出した状態で、固定部材９を支持軸１の他端側１ｂから挿入する。すると、固定部材９の凸部９ｃがボールベアリング４の内輪部４ａの側面に当接し、固定部材９と外輪部４ｂとの間にできた隙間９ｅに抜け止め部材Ｊ３が位置する。
【００３１】
次に、止めネジ９ｄで固定部材９を支持軸１に固着する。この状態から組立治具Ｊの取付部材Ｊ２を、固定部材９から取り去ると、コイルバネ１０に弾圧されたアースブラシ１１が、回転ドラムＲの一部である外輪部４ｂの側面に弾接する。
次に、回転ドラムＲにモータＭのロータ８をネジ８ｄで取り付けると共に、図１に示すコイル７ｄを設けたコア７ｅを固定部材９に取り付ける。そして、固定部材９にモータ制御回路基板７ｃをネジ７ｂで取り付けると共に、コイル７ｄとモータ制御回路基板７ｃの回路パターン（図示せず）とを電気的に接続して本発明の回転ヘッド装置が組立られている。
そして、モータ制御回路基板７ｃに通電することにより、ロータ８が回転すると共に、回転ドラムＲが回転するようになっている。
【００３２】
次に、本発明方法を適用する回転ヘッド装置の第２の実施の形態について説明する。図３に示す本発明の第２の実施の形態の断面図を用いて説明する。まず、上方側に磁気ヘッド２が取り付けられた回転ドラム５１が配設され、この回転ドラム５１の回転と共に回転可能な支持軸１が回転ドラム５１に圧入等で固着されている。前記回転ドラム５１と対向する下方側には、ボールベアリング４が取り付けられた固定ドラム５２が配設されている。また固定ドラム５２の下方に配置されたモータＭは、固定ドラム５２に取り付けたステータ５７と、回転部材に支持されたロータ５８とで構成されている。
【００３３】
前記ステータ５７は、底板部５７ａと筒状部５７ｂとによってコップ状に形成された取付板５７ｃと、この底板部５７ａを固定ドラム５２に取り付けるネジ５７ｄと、筒状部５７ｂに接着固定された円筒状の磁石５７ｅと、筒状部５７ｂの下方端部に接着剤（図示せず）等で取り付けられたモータ制御回路基板５７ｆとから構成されている。
またロータ５８は、固定ドラム５２に対向状態で支持軸１に止めネジ５９ｄ等でネジ止めされて固着された導電性の材料から成る固定部材５９と、この固定部材５９の外周部に固着されたコイル５８ｄを設けた磁性金属からなるコア５８ｅとから構成されている。前記コア５８ｅは円筒状の磁石５７ｅ内に配設され、コア５８ｅと磁石５７ｅとは磁気ギャップを形成するように対峙させている。
【００３４】
前記モータ制御回路基板５７ｆは、プリント基板にモータ制御回路が実装されたものであり、図示しない記録再生装置本体から供給された電源を摺動ブラシ（図示せず）等でコイル５８ｄに供給し、ロータ５８の回転を制御することで、支持軸１を回転させて、支持軸１に固着されている回転ドラム５１の回転制御を行うものである。
前記回転部材５９には、前述した第１の実施の形態の固定部材９の収納部９ａ、貫通孔９ｂ、凸部９ｃと同様な、収納部５９ａ、貫通孔５９ｂ、凸部５９ｃが形成され、収納部５９ａには第１の実施の形態で説明したコイルバネ１０とアースブラシ１１とが収納されて、このアースブラシ１１がボールベアリング４の外輪部４ｂに弾接している。そして、モータＭのロータ５８の回転に伴って、回転部材５９が回転すると、アースブラシ１１がボールベアリング４の外輪部４ｂの側面に弾接摺動するようになっている。
尚、その他の構成は前記第１及び第２の実施の形態と同様の構成としてあり、同一部品には同一番号を付し、ここではその説明を省略する。
【００３５】
このような第２の実施の形態の回転ヘッド装置の組立は、図４に示す状態の回転ヘッド装置を逆さにして、回転ドラム５１を下方側に固定ドラム５２を上方側にし、前記第１の実施の形態で説明した組立方法と同じに組み立てる。
但し、前記第１の実施の形態と異なる部分は、モータＭのモータ制御回路基板５７ｆの取り付けを、コップ状の筒状部５７ｂに接着剤等で取り付けるようにしたことである。
即ち、本発明の第２の実施の形態は、モータＭのステータ５７をコップ状の取付板５７ｃで構成し、ロータ５８を回転部材５９に取り付けたコア５８ｅで構成し、このロータ５８を回転させることで、回転部材５９が回転して支持軸１が回転すると共に、回転ドラム５１が回転するようになっている。
【００３６】
前述したような本発明の回転ヘッド装置の第１と第２の実施の形態では、アースブラシ１１を円柱状の導電性部材で説明したが、図４に示すようなアースブラシ２１を板バネ状の導電性部材で構成したものでもよい。
前記板バネ状のアースブラシ２１は、図４に示す固定部材１９に形成された浅めの収納部１９ａに収納されて電気的に接続して取り付けられている。
また、前記収納部１９ａに取り付けられたアースブラシ２１の背面側の固定部材１９に、アースブラシ２１の形状より小さめの貫通孔１９ｂを形成している。
【００３７】
【発明の効果】
本発明の回転ヘッド装置の組立方法は、収納部に収納したアースブラシを、組立治具で抜け止めすると共に、検出ピンを貫通孔に挿入して前記アースブラシの有無を検出するようにしたので、収納部からのアースブラシの脱落を防止することができ、アースブラシが脱落することのない回転ヘッド装置の組立方法を提供することができる。
【００３８】
また、貫通孔に挿入された前記検出ピンは、前記収納部内の前記アースブラシの有無によって移動可能となし、この検出ピンの移動によって、検出部材を動作させて、前記アースブラシの有無を検出するようにしたので、前記検出部材を動作させることで、更に確実にアースブラシの脱落を検出することができる。
【図面の簡単な説明】
【図１】本発明方法を適用する回転ヘッド装置の第１の実施の形態の断面図である。
【図２】本発明方法を適用する回転ヘッド装置の第１の実施の形態の要部拡大断面図である。
【図３】本発明方法を適用する回転ヘッド装置の第２の実施の形態の断面図である。
【図４】本発明方法を適用する回転ヘッド装置の第１の実施の形態の変形例を示す断面図である。
【図５】本発明の回転ヘッド装置の組立方法を説明する概略図である。
【図６】本発明の回転ヘッド装置の組立方法を説明する概略図である。
【図７】本発明の回転ヘッド装置の組立方法を説明する概略図である。
【図８】従来の回転ヘッド装置の断面図である。
【図９】従来の回転ヘッド装置の要部拡大断面図である。
【符号の説明】
１    支持軸
２    磁気ヘッド
３    ネジ
４    ボールベアリング
４ａ  内輪部
４ｂ  外輪部
４ｃ  ボール
５    中心孔
６    回転トランス
６ａ  回転側トランス
６ｂ  固定側トランス
７    ステータ
７ｂ  ネジ
７ｃ  モータ制御回路基板
７ｄ  コイル
７ｅ  コア
８    ロータ
８ａ  底板部
８ｂ  筒状部
８ｃ  取付板
８ｄ  ネジ
８ｅ  磁石
９    固定部材
９ａ  収納部
９ｂ  貫通孔
９ｃ  凸部
９ｄ  止めネジ
９ｅ  隙間
１０  コイルバネ
１１  アースブラシ
Ｋ    固定ドラム
Ｒ    回転ドラム
Ｍ    モータ
Ｐ    押圧力
Ｔ    磁気テープ
Ｊ    組立治具
Ｊ１  載置台
Ｊ２  取付部材
Ｊ３  抜け止め部材
Ｊ４  検出ピン
Ｓ    検出部材
【図１】
0003569437.tif 000002
【図２】
0003569437.tif 000003
【図３】
0003569437.tif 000004
【図４】
0003569437.tif 000005
【図５】
0003569437.tif 000006
【図６】
0003569437.tif 000007
【図７】
0003569437.tif 000008
【図８】
0003569437.tif 000009
【図９】
0003569437.tif 000010